(57)【要約】      （修正有）【課題】薬草蒸気を人体に直接に接触させて健康増進を図る薬草蒸し装置において、固定椅子のような画一的な座位姿勢ではなくて、被施術者が望む自由な座位姿勢で施術が受けられるようにする。【解決手段】施術椅子の直下に配置した薬草蒸気発生器Ｂから発生される薬草蒸気を、全身をカバーで覆った状態で施術椅子に座った被施術者Ｐの人体に直接に接触させる薬草蒸し装置において、施術椅子として、柱状支持台Ｓに吊り下げられたハンギングチェアＣを使用する。【選択図】図１
0003206934.tif 000002
【実用新案登録請求の範囲】
【請求項１】
施術椅子の直下に配置した薬草蒸気発生器から発生される薬草蒸気を、全身をカバーで覆った状態で前記施術椅子に座った被施術者の人体に直接に接触させる薬草蒸し装置において、
前記施術椅子は、柱状支持台に吊り下げられたハンギングチェアであることを特徴とするハンギングチェアを用いた薬草蒸し装置。
【請求項２】
前記ハンギングチェアは、薬草蒸気を通過可能とする構造であることを特徴とする請求項１に記載のハンギングチェアを用いた薬草蒸し装置。
【請求項３】
前記ハンギングチェアは、籐製であることを特徴とする請求項２に記載のハンギングチェアを用いた薬草蒸し装置。
【請求項４】
前記カバーは、前記ハンギングチェアを架台に吊り下げている吊下げチェーンに頂部が結び付けられて、当該ハンギングチェアの全体を覆うことで、全体がカーテン状に垂れ下った構成であることを特徴とする請求項１ないし３のいずれかに記載のハンギングチェアを用いた薬草蒸し装置。
【考案の詳細な説明】
【技術分野】
【０００１】
本考案は、ハーブ、よもぎ等の薬草を蒸して、その蒸気を人体に直接に接触させることで、種々の体調不良の原因を解消して健康増進を図る薬草蒸し装置に関し、更に、詳しくは、架台に吊り下げられたハンギングチェア（吊下げ椅子）に被施術者が好む自由な姿勢で座って施術を行える薬草蒸し装置に関するものである。
【背景技術】
【０００２】
従来の薬草蒸し装置は、特許文献１，２に示されるように、マントと称されるカバーで、頭部を除く全身を覆った被施術者が固定された施術椅子に座った状態で施術する構成であった。施術椅子の内部には、薬草蒸気発生器が配置され、当該発生器から発生された薬草蒸気は、施術椅子の座板に明けられた大きな通気穴を通って上方に流れる途中において、薬草蒸気が直接に人体に当たる構造となっている。
【０００３】
よって、被施術者の施術姿勢は、一般の椅子と同様に、両足又は片足を床面で支えたほぼ一定姿勢で、長時間に亘り施術されるため、施術姿勢の自由度が低く、拘束感、退屈感を感じることが多い。
【０００４】
また、薬草蒸気の飛散を防止するカバー（マント）は、その頂部を被施術者の首にタオルを介して巻き付けることで、垂れ下がりを防止する構造が多く、この構造では、長時間の施術中に被施術者は、首部に拘束感，圧迫感を感じると共に、人体の頭部と、当該頭部を除く部分とがカバーで分離されてしまうため、例えば、本を読みながら施術を受けることが難しい等の問題があった。
【先行技術文献】
【特許文献】
【０００５】
【特許文献１】実用新案登録第３１１４３２９号公報
【特許文献２】実用新案登録第３１７５１３２号公報
【考案の概要】
【考案が解決しようとする課題】
【０００６】
本考案は、薬草蒸気を人体に直接に接触させて健康増進を図る蒸し装置において、固定椅子のような画一的な座位姿勢ではなくて、被施術者が望む自由な座位姿勢で施術可能とすることを課題としている。
【課題を解決するための手段】
【０００７】
上記課題を解決するための請求項１の考案は、施術椅子の直下に配置した薬草蒸気発生器から発生される薬草蒸気を、全身をカバーで覆った状態で前記施術椅子に座った被施術者の人体に直接に接触させる薬草蒸し装置において、
前記施術椅子は、柱状支持台に吊り下げられたハンギングチェアであることを特徴としている。
【０００８】
請求項１の考案によれば、被施術者は、自身の好む姿勢でハンギングチェアにほぼ全裸状態で座ることで、当該ハンギングチェアの座部の直下に配置された薬草蒸気発生器から発せられる薬草蒸気は、被施術者の全体を覆うカバーにより、外部に飛散するのを防止されることで、被施術者の人体に薬草蒸気が直接に接触することで、種々の体調不良の原因が解消されて、健康の増進が図られる。
【０００９】
被施術者が座る施術椅子は、架台に吊り下げられたハンギングチェアであるので、被施術者は、ハンギングチェアの座部に、両足を組んで座ったり、或いは本を読みながら背もたれに、もたれかかったり、更には、定期的にハンギングチェア全体を軽く揺らしたりする等の被施術者が最も好む自由な姿勢で、薬草蒸気を直接に浴びることができる。ハンギングチェアに対する被施術者の座位姿勢の変更、或いはハンギングチェア自体の僅かな揺動により、被施術者の人体に対する薬草蒸気の接触状態が微妙に変更されるため、薬草蒸気の接触の効果が高められる。この結果、被施術者が最も好む施術姿勢を自由に選択できると共に、施術途中において、別の姿勢に変更することも可能であるので、施術が長時間に亘っても、拘束感、退屈感を抱くことなく、快適な姿勢で薬草蒸気を浴びることができる。
【００１０】
請求項２の考案は、請求項１の考案において、前記ハンギングチェアは、薬草蒸気を通過可能とする構造であることを特徴としている。
【００１１】
請求項２の考案の具体的構造としては、ハンギングチェアを構成する骨組みに樹脂メッシュを貼り付ける等があり、ハンギングチェアの座部に薬草蒸気の通過穴を設けることなく、即ち、ハンギングチェアの強度を低下させることなく、当該ハンギングチェアに座っている被施術者に薬草蒸気を浴びせられる。このため、施術椅子の座部に、薬草蒸気を通過させる大きな穴部を設ける必要がなく、既存のハンギングチェアをそのまま用いて施術できる。
【００１２】
請求項３の考案は、請求項２の考案において、前記ハンギングチェアは、籐製であることを特徴としている。
【００１３】
請求項３の考案は、籐製のハンギングチェアであるため、当該ハンギングチェアの骨部以外の部分を構成する材料である籐（トウ）の間に無数の隙間が形成され、この隙間を薬草蒸気が通過するため、籐に対する人体の快い接触感覚と相俟って、薬草蒸気の蒸し施術を快適に実施できる。
【００１４】
請求項４の考案は、請求項１ないし３のいずれかの考案において、前記カバーは、前記ハンギングチェアを架台に吊り下げている吊下げチェーンに頂部が結び付けられて、当該ハンギングチェアの全体を覆うことで、全体がカーテン状に垂れ下った構成であることを特徴としている。
【００１５】
従来の蒸し装置では、カバー（マント）の頂部は、被施術者の首部に巻き付けていたため、当該カバーは、被施術者の動きに追随して移動してしまうと共に、当該カバーと被施術者との間に空間を確保させる手段が不可欠であった。しかし、請求項４の考案では、カバーの頂部は、前記ハンギングチェアを架台に吊り下げている吊下げチェーンに結び付けられて、当該ハンギングチェアの全体を覆うことで、全体が垂れ下げ状に配置されているため、当該カバーは、被施術者との間に必要な空間が確保された状態で、当該ハンギングチェアに垂れ下げ状に取付けられているため、被施術者の全身に薬草蒸気が行き渡ると共に、被施術者の移動は、当該カバーの配置に影響を与えない。また、カバーは、ハンギングチェアの吊下げチェーンに取付けられていて、従来の蒸し装置のように、被施術者の首部に巻き付けられていないので、施術中における被施術者の細かい動きが、当該カバーにより阻害されることはない。
【考案の効果】
【００１６】
本考案は、施術椅子の直下に配置した薬草蒸気発生器から発生される薬草蒸気を、全身をカバーで覆った状態で前記施術椅子に座った被施術者の人体に直接に接触させる薬草蒸し装置において、前記施術椅子として、柱状支持台に吊り下げられたハンギングチェアを使用しているため、被施術者は、ハンギングチェアの座部に、両足を組んで座ったり、或いは本を読みながら背もたれに、もたれかかったり、更には、定期的にハンギングチェア全体を軽く揺らしたりする等の被施術者が最も好む自由な姿勢で、薬草蒸気を直接に浴びることができ、ハンギングチェアに対する被施術者の座位姿勢の変更、或いはハンギングチェア自体の軽い揺動により、被施術者に対する薬草蒸気の接触状態が変更されるため、薬草蒸気の接触の効果が高められる。この結果、被施術者が最も好む施術姿勢を自由に選択できると共に、施術途中において、別の姿勢に変更することも可能であるので、施術が長時間に亘っても、拘束感、退屈感を抱くことなく、快適な姿勢で薬草蒸気を浴びることができる。
【図面の簡単な説明】
【００１７】
【図１】被施術者Ｐが両足を組んでハンギングチェアＣの座部４に座って施術を受けている状態の本考案に係る薬草蒸し装置Ａの斜視図である。
【図２】同じく側面図である。
【図３】同じく部分正面断面図である。
【図４】被施術者ＰがハンギングチェアＣの背もたれ部５にもたれて読書しながら施術を受けている状態の本考案に係る薬草蒸し装置Ａの斜視図である。
【図５】被施術者ＰがハンギングチェアＣの座部４から両足を垂れ下げて施術を受けている状態の本考案に係る薬草蒸し装置Ａの側面図である。
【考案を実施するための形態】
【００１８】
以下、好適な実施例を挙げて、本考案について更に詳細に説明する。図１〜図3 に示されるハンギングチェアＣを用いた薬草蒸し装置Ａは、柱状支持台Ｓの柱部１１の上端わん曲部１１ａに吊り下げられたハンギングチェアＣと、当該ハンギングチェアＣの座部４の直下に配置される薬草蒸気発生器Ｂと、当該薬草蒸気発生器Ｂから発生される薬草蒸気Ｖが、前記ハンギングチェアＣに座った被施術者Ｐの周囲の定められた空間から外部に飛散するのを防止する円筒カーテン状のカバーＫとを備えている。
【００１９】
ハンギングチェアＣは、籐製であって、卵を斜めに切断することで、切断面が前面開口１となると共に、両側面にそれぞれ小さな側面開口２が形成された変則形状をなしていて、前面及び側面の各開口１，２の周縁は、被施術者Ｐが座って荷重が作用した状態においても、全体形状を維持させるために、竹等をわん曲させた骨部３で囲まれている。前面及び側面の各開口１，２を備えたハンギングチェアＣは、被施術者Ｐが座る座部４と、被施術者Ｐの背部をもたれさせる背もたれ部５とを備えている。籐製のハンギングチェアＣは、無数の籐を編んだ構造となっているため、隣接する各籐の間に所定の隙間が形成され、全体に亘って隙間が設けられているため、薬草蒸気Ｖは、ハンギングチェアＣの外側から内側に向けて通過可能である。なお、前面開口１の周縁に設けられた骨部３の頂部には、吊下げチェーン１２の下端を連結させるための連結フック６が一体に設けられている。
【００２０】
前記ハンギングチェアＣは、柱状支持台Ｓの柱部１１の上端わん曲部１１ａの先端に吊下げチェーン１２を介して吊り下げられている。即ち、吊下げチェーン１２の下端部は、ハンギングチェアＣの前面開口１の周縁に設けられた骨部３の頂部の連結フック６に連結され、当該吊下げチェーン１２の上端部は、前記柱部１１の上端わん曲部１１ａの先端に引張バネ１３を介して連結されている。よって、ハンギングチェアＣは、引張バネ１３の弾性により、柱状支持台Ｓの柱部１１に対して上下方向に沿って弾性的に微動可能に連結されており、この構造が、被施術者Ｐの座り心地性を良好にしている。柱状支持台Ｓの柱部１１の基部は、上端わん曲部１１ａが円リング形のベース部１４内に配置されるように、当該ベース部１４に一体に連結されることで、ハンギングチェアＣの吊下げ姿勢を維持したままで、当該ハンギングチェアＣに作用する荷重を支持可能にしている。
【００２１】
柱状支持台Ｓに吊下げられたハンギングチェアＣの座部４の直下には、薬草蒸気発生器Ｂが配置されている。薬草蒸気発生器Ｂは、ハーブ、よもぎ等の薬草を水と一緒に沸騰状態に煮立てることで、薬草蒸気Ｖを発生させるものである。
【００２２】
前記薬草蒸気発生器Ｂから発生した薬草蒸気Ｖが周囲に飛散するのを防止するために、前記吊下げチェーン１２には、上面が閉塞されて下面が開口された円筒カーテン状のカバーＫが吊り下げられている。即ち、カバーＫは、プラスチックシート等で形成されて、上面閉塞部２１は、その形状を保持させるべく複数本の形状保持骨が放射状に配置される構造等によって、適度な形状剛性を有していて、ハンギングチェアＣの全体を覆った状態で垂直に垂れ下がった円筒状部２２の一部は、被施術者Ｐの出入りを可能とすべく、上下方向の全長に亘って切割れ部２３が形成されている。
【００２３】
ハンギングチェアＣの座部４には、蒸しタオル３１が配置されており、ほぼ全裸状態の被施術者Ｐは、図１〜図３に示されるように、ハンギングチェアＣの座部４に、両足を組んだ状態で座ったり、或いは、図４に示されるように、本を読みながら、自身の背部をハンギングチェアＣの背もたれ部５にもたれかけて座ったり、更に、図５に示されるように、ハンギングチェアＣの座部４から両足を垂れ下げた状態で座る等の被施術者Ｐが好む姿勢を選択して、ハンギングチェアＣに座ることが可能となる。また、施術中に、被施術者の身体を前後・左右に蒸らすことで、ハンギングチェアを揺らすことができ、この状態で、施術を受けることもできる。
【００２４】
薬草蒸気発生器Ｂから発生した薬草蒸気Ｖは、ハンギングチェアＣの座部４を形成している各籐の間の無数の隙間を通って、被施術者Ｐの下半身部に直接に接触すると共に、上方に向けて流れる薬草蒸気Ｖが被施術者Ｐの上半身部及び頭部にも、直接に接触する。上記したように、ハンギングチェアＣに対する被施術者Ｐの座位姿勢を変更させたり、ハンギングチェアＣを揺動させることで、被施術者Ｐに対する薬草蒸気Ｖの流れが微妙に変更されることで、薬草蒸気Ｖの接触効果が高められる。また、時間の経過により、カバーＫで覆われた空間は、薬草蒸気発生器Ｂから発生した薬草蒸気Ｖで充満されることで、薬草蒸気Ｖは、被施術者Ｐの全身に行き渡って接触する。
【００２５】
カバーＫは、その頂部が、柱状支持台ＳにハンギングチェアＣを吊り下げている吊下げチェーン１２に結び付けられていて、従来の薬草蒸し装置のように、ハンギングチェアＣに座っている被施術者Ｐには、結び付けられていないので、長時間に亘って施術を受ける被施術者Ｐは、カバーＫの存在とは無関係に、施術途中において座位姿勢を変更することができる。このため、従来の薬草蒸し装置のように、長時間に亘って同一の座位姿勢を保持する必要があるために生ずる拘束感、退屈感を抱くことなく、快適な姿勢で薬草蒸気を浴びることができる。
【００２６】
また、薬草蒸気が通過可能なハンギングチェアとしては、籐製に限られず、ハンギングチェアの全体形状を保持する骨部以外の部分がネット（網）で構成されたものでもよい。このように、薬草蒸気を通過可能な構造のハンギングチェアを用いることで、従来の薬草蒸し装置のように、施術椅子の座部に薬草蒸気を通過させる大きな穴を設ける必要がなくなり、既存のハンギングチェアをそのまま用いて施術できる利点もある。
【符号の説明】
【００２７】
Ａ：薬草蒸し装置
Ｂ：薬草蒸気発生器
Ｃ：ハンギングチェア（施術椅子）
Ｋ：カバー
Ｐ：被施術者
Ｓ：柱状支持台
Ｖ：薬草蒸気
４：ハンギングチェアの座部
５：ハンギングチェアの背もたれ部
１１：柱状支持台の柱部
１２：吊下げチェーン
２１：カバーの上面閉塞部
２２：カバーの円筒状部
２３：カバーの切割れ部
【図１】
0003206934.tif 000003
【図２】
0003206934.tif 000004
【図３】
0003206934.tif 000005
【図４】
0003206934.tif 000006
【図５】
0003206934.tif 000007